(57)【特許請求の範囲】
【請求項１】
ベース部材１と、このベース部材に固定された位置決め用ベース背面板１３と、このベース背面板の左右に固定的に対設された左右一対の後方縁枠支柱１７、１７と、これらの後方縁枠支柱にそれぞれ対向するように前記ベース部材に固定された左右一対の前方縁枠支柱１５、１５と、前方縁枠支柱１５に形成された縦方向の第１係合溝或いは第１係合突起１６と前記後方縁枠支柱１７に形成された縦方向の第２係合溝或いは第２係合突起１８に係合するように前方及び後方の縁枠支柱１５、１７の間に取付けられた左右の側壁部材２０と、一方、後方縁枠支柱１７に形成された縦方向の第３係合溝或いは第３係合突起１９に係合するように左右一対の後方縁枠支柱１７、１７の間に取付けられた後壁部材３０と、左右前後の縁枠支柱１５、１７の各上端部、左右の側壁部材２０の上端部、後壁部材３０の上端部にそれぞれ固定的に嵌合する嵌合天板３５と、前方縁枠支柱１５に複数個の蝶番４１を介して取付けられた扉４０とから成る自動販売機の家具調キャビネット。
【請求項２】
請求項１に於いて、ベース部材１は、矩形状に形成された台２と、この台２の上面に四角い縁部８を残すように固定された支持枠３とから成る自動販売機の家具調キャビネット。
【請求項３】
請求項１に於いて、後方縁枠支柱１７は端面Ｌ型状に形成され、一端部側に縦方向の係合溝が、一方、他端部側に縦方向の係合溝がそれぞれ形成されていることを特徴とする自動販売機の家具調キャビネット。
【請求項４】
請求項１に於いて、側壁部材２０は少なくとも２以上に分割されていることを特徴とする自動販売機の家具調キャビネット。
【請求項５】
請求項１に於いて、後壁部材３０の内壁面には断熱板５０が設けられていることを特徴とする自動販売機の家具調キャビネット。
【請求項６】
別体に製作された台２と支持枠３を一体的に結合してベース部材１を形成するベース部材形成工程Ａと、位置決め用ベース背面板１３を支持枠３の左右の基後壁部１２、１２の外壁面に固定的に取付けるベース背面板固定工程Ｂと、まずベース背面板１３の左右いずれかに端面Ｌ型の一方の後方縁枠支柱１７を立設し、次にこの後方縁枠支柱に側端部を係合しながら分割された複数個の後板を垂直状態に積み重ね、次に他方の後方縁枠支柱１７をこれらの各後板に係合させた状態で後壁部材３０をベース部材１に取付ける後壁部材取付け工程Ｃと、前記後方縁枠支柱１７に一方側の突起を係合させながら分割された複数個の側板を垂直状態に積み重ねてベース部材１に取付ける側壁部材取付け工程Ｄと、前方縁枠支柱１５を左右の側壁部材２０にそれぞれ係合させ、かつ、支持枠３の基側壁部１０の外壁面に固着手段を介して固定する前方縁枠支柱固定工程Ｅと、一体的に組合わせられた左右前後の縁枠支柱１５、１７の各上端部と、左右の側壁部材２０の上端部と、後壁部材３０の上端部に嵌合天板３５を固定的に嵌合する
嵌合天板取付け工程Ｆと、左右の前方縁枠支柱１５、１５に複数個の蝶番４１を介して扉４０を取付ける扉取付け工程Ｇとから成る自動販売機の家具調キャビネットＸの製造方法。
【請求項７】
請求項６に於いて、ベース部材形成工程Ａでは、支持枠３は台２よりも幅寸法がやや小さく形成され、基底部９が台２の上面に四角い縁部８を残すように台２に固定されることを特徴とする自動販売機の家具調キャビネットＸの製造方法。
【請求項８】
別体に製作された台２と支持枠３を一体的に結合してベース部材１を形成するベース部材形成工程Ａと、位置決め用ベース背面板１３を支持枠３の左右の基後壁部１２、１２の外壁面に固定的に取付けるベース背面板固定工程Ｂと、端面Ｌ型の後方縁枠支柱１７、１７をベース背面板１３の左右に固定的に対設する後方縁枠支柱固定工程Ｃ１及びこの左右一対の後方縁枠支柱固定工程Ｃ１の後にこれらの後方縁枠支柱１７、１７の間に側端部を係合させながら分割された複数個の後板を垂直状態に積み重ねる後板係合工程Ｃ２を有する後壁部材取付け工程Ｃと、前記後方縁枠支柱１７に一方側の突起を係合させながら分割された複数個の側板を垂直状態に積み重ねてベース部材１に取付ける側壁部材取付け工程Ｄと、前方の縁枠支柱１５を左右の側壁部材２０にそれぞれ係合させ、かつ、支持枠３の基側壁部１０の外壁面に固着手段を介して固定する前方縁枠支柱固定工程Ｅと、一体的に組合わせられた左右前後の縁枠支柱１５、１７の各上端部と、左右の側壁部材２０の上端部と、後壁部材３０の上端部に嵌合天板３５を固定的に嵌合する嵌合天板取付け工程Ｆと、左右の前方縁枠支柱１５、１５に複数個の蝶番４１を介して扉４０を取付ける扉取付け工程Ｇとから成る自動販売機の家具調キャビネットＸの製造方法。
【請求項９】
別体に製作された台２と支持枠３を一体的に結合してベース部材１を形成するベース部材形成工程Ａと、位置決め用ベース背面板１３を支持枠３の左右の基後壁部１２、１２の外壁面に固定的に取付けるベース背面板固定工程Ｂと、端面Ｌ型の後方縁枠支柱１７、１７をベース背面板１３の左右に固定的に対設する後方縁枠支柱固定工程Ｃ１及びこの左右一対の後方縁枠支柱固定工程Ｃ１の後にこれらの後方縁枠支柱１７、１７の間に側端部を係合させながら分割された複数個の後板を垂直状態に積み重ねる後板係合工程Ｃ２を有する後壁部材取付け工程Ｃと、次に左右一対の前方の縁枠支柱１５、１５を支持枠３の基側壁部１０の外壁面に固着手段を介して固定する前方縁枠支柱固定工程Ｅと、次に左右前方の縁枠支柱１５、１５の間に両側端部を係合させながら分割された複数個の側板を垂直状態に積み重ねる側壁部材取付け工程Ｄと、次に一体的に組合わせられた左右前後の縁枠支柱１５、１７の各上端部と、左右の側壁部材２０の上端部と、後壁部材３０の上端部に嵌合天板３５を固定的に嵌合する嵌合天板取付け工程Ｆと、左右の前方縁枠支柱１５、１５に複数個の蝶番４１を介して扉４０を取付ける扉取付け工程Ｇとから成る自動販売機の家具調キャビネットＸの製造方法。
【発明の詳細な説明】
【０００１】
【発明の属する技術分野】
本発明は自動販売機の家具調キャビネット及びその製造方法に関する。
【０００２】
【従来の技術】
従来、コーヒー、清涼飲料、果実飲料など販売する自動販売機は、全てスチール製の外箱で出来ている。このようなスチール製の自動販売機は、屋外に設置する場合は美的に問題はない。しかしながら、公共的な家屋内、ビル内、店舗内など特定の場に設置する場合にはインテリア性の向上を図りたいものである。
【０００３】
【発明が解決しようとする課題】
本発明は屋内に設置する物のインテリア性の向上を図りたいと言う最近の要望に鑑み、第１の目的は自動販売機の家具調キャビネットを提供することである。
第２の目的は家具調キャビネットを構成する各部材を順序良く効率的に組合わせることができることである。第３の目的は家具調キャビネットを構成する各部材の梱包ないし運搬の容易化を図ることである。第４の目的は自動販売機の装置本体、駆動源、電気的部品などを簡単に装着乃至取付けることができることである。第５の目的は家具調キャビネットを構成する各部材を互いに強固に結合することができることである。第６の目的は断熱性を有する家具調キャビネットを提供することである。
【０００４】
【課題を解決するための手段】
本発明の自動販売機の家具調キャビネットＸは、ベース部材１と、このベース部材に固定された位置決め用ベース背面板１３と、このベース背面板の左右に固定的に対設された左右一対の後方縁枠支柱１７、１７と、これらの後方縁枠支柱にそれぞれ対向するように前記ベース部材に固定された左右一対の前方縁枠支柱１５、１５と、前方縁枠支柱１５に形成された縦方向の第１係合溝或いは第１係合突起１６と前記後方縁枠支柱１７に形成された縦方向の第２係合溝或いは第２係合突起１８に係合するように前方及び後方の縁枠支柱１５、１７の間に取付けられた左右の側壁部材２０と、一方、後方縁枠支柱１７に形成された縦方向の第３係合溝或いは第３係合突起１９に係合するように左右一対の後方縁枠支柱１７、１７の間に取付けられた後壁部材３０と、左右前後の縁枠支柱１５、１７の各上端部、左右の側壁部材２０の上端部、後壁部材３０の上端部にそれぞれ固定的に嵌合する嵌合天板３５と、前方縁枠支柱１５に複数個の蝶番４１を介して取付けられた扉４０とから成る。
【０００５】
また本発明の自動販売機の家具調キャビネットＸの製造方法は、別体に製作された台２と支持枠３を一体的に結合してベース部材１を形成するベース部材形成工程Ａと、位置決め用ベース背面板１３を支持枠３の左右の基後壁部１２、１２の外壁面に固定的に取付けるベース背面板固定工程Ｂと、端面Ｌ型の後方縁枠支柱１７、１７をベース背面板１３の左右に固定的に対設する後方縁枠支柱固定工程Ｃ１及びこの左右一対の後方縁枠支柱固定工程Ｃ１の後にこれらの後方縁枠支柱１７、１７の間に側端部を係合させながら分割された複数個の後板を垂直状態に積み重ねる後板係合工程Ｃ２を有する後壁部材取付け工程Ｃと、前記後方縁枠支柱１７に一方側の突起を係合させながら分割された複数個の側板を垂直状態に積み重ねてベース部材１に取付ける側壁部材取付け工程Ｄと、前方の縁枠支柱１５を左右の側壁部材２０にそれぞれ係合させ、かつ、支持枠３の基側壁部１０の外壁面に固着手段を介して固定する前方縁枠支柱固定工程Ｅと、一体的に組合わせられた左右前後の縁枠支柱１５、１７の各上端部と、左右の側壁部材２０の上端部と、後壁部材３０の上端部に嵌合天板３５を固定的に嵌合する嵌合天板取付け工程Ｆと、左右の前方縁枠支柱１５、１５に複数個の蝶番４１を介して扉４０を取付ける扉取付け工程Ｇとから成る。
【０００６】
【発明の実施の形態】
まず図面に示す本発明の実施の形態を自動販売機自体の家具調キャビネット（物の発明）として説明する。図１乃至図１２に於いて、Ｘは自動販売機自体の外箱を構成する木製（家具調）キャビネットである。この木製キャビネットＸは複数個の木製の組立部材で構成され、内部の受板１４上には自動販売機の装置本体が、また内部の支持枠３内には駆動源が内装され、さらに、電気的に必要な操作ボタン、販売見本などが開閉扉に設けられる。
【０００７】
そこで木製キャビネットＸの構成について具体的に説明する。１はベース部材である。このベース部材１は、矩形状に形成された台２と、この台２の上面に固定される支持枠３とから成る。
【０００８】
前記台２の下面には、図３で示すように複数個の脚金具４と、これらの脚金具に取付けられた自在キャスター５が適宜に設けられている。脚金具４はキャビネットＣを水平に位置させたり、或いは高さを微調節することができるように円板状の接地盤を有するオネジ部材６と、このオネジ部材６に螺合し、かつ、台２の下面に固定されたメネジ部材７とから成る。
【０００９】
前記支持枠３は台２よりも幅寸法がやや小さく形成され、台２の上面に四角い縁部８を残すように固定される基底部９と、この基底部上に対設する左右の基側壁部１０、１０と、これらの基側壁部と交差するように基底部９上に設けられ、かつ、中央部に開口１１を形成する左右一対の基後壁部１２、１２とから成る。
【００１０】
１３は支持枠３の左右の基後壁部１２、１２の外壁面に面接触するように台２の縁部８の後端面に固定的に立設された位置決め用ベース背面板である。この背面板１３の中央部には支持枠３の開口１１と連通するやや大きめの矩形状通風孔１３ｂが形成されている。またベース背面板１３の左右の側壁には後述する後方の縁枠支柱１７の係合溝１９と係合する小突起１３ａ、１３ａが縦方向にそれぞれ形成されている。このベース背面板１３を台２の縁部８の後端面８ａに取付けると台２の左右の隅角部が残る。
【００１１】
１４は支持枠３内に所要空間を形成するように左右の基側壁部１０、１０の上端面に固定的に載置された矩形状の受板である。この受板１４は支持枠３の基側壁部１０、１０及び基後壁部１２、１２からそれぞれ突出しない大きさに形成されている。
【００１２】
１５は台２の縁部８の前方側の左右隅角部にそれぞれ立設された左右一対の前方縁枠支柱である。これらの前方縁枠支柱１５、１５はやや厚肉の板状に形成され、左右の基側壁部１０、１０の外壁面にそれぞれ適宜に固定される。１６は前方縁枠支柱１５の後端面に縦後方に形成された係合部としての第１係合溝である。
【００１３】
一方、１７は台２の縁部８の後方側の左右隅角部にそれぞれ立設された左右一対の後方縁枠支柱である。これらの後方縁枠支柱１７、１７は端面Ｌ型状に形成され、それぞれ前方縁枠支柱１５、１５に対向するように左右の基側壁部１０、１０の外壁面にそれぞれ適宜に固定される。１８は後方縁枠支柱１７の一端部側に縦方向に形成された係合部としての第１係合溝である。この第１係合溝１８は前方縁枠支柱１５の第１係合溝１６と丁度対向する。１９は後方縁枠支柱１７の他端部側に縦方向に形成された係合部としての第２係合溝である。第２係合溝１９は、左右の後方縁枠支柱１７、１７をそれぞれベース部材１に固定した場合には互いに対向する。
【００１４】
２０は前後の縁枠支柱１５、１７の間に第１係合溝１６及び第２係合溝１８を介して嵌め込まれる左右一対の側壁部材である。側壁部材２０は、この実施例ではそれぞれ４枚に分割され、支持枠３の基側壁部１０とオーバラップする最下位のベース側板２１と、このベース側板２１に垂直方向に載る下位の第１側板２２と、この第１側板２２の上方に載る中間の第２側板２３と、この第２側板の上方に載る上位の第３側板２４とから成り、これらの側板２１乃至２４の前後の側壁端部には、前記第１係合溝１６並びに第２係合溝１８にそれぞれ係合する突起２１ａ、２２ａ、２３ａ、２４ａが形成されている。
【００１５】
３０は左右の後方縁枠支柱１７、１７の間にそれらの第３係合溝１９、１９を介して嵌め込まれる後壁部材である。後壁部材３０は、この実施例では３枚に分割され、ベース背面板１３に垂直方向に載る下位の第１後板３１と、この第１後板の上方に載る中間の第２後板３２と、この第２後板の上方に載る上位の第３後板３３とから成る。後壁部材３０には前述したベース背面板１３も含まれる。そして、第１後板３１乃至第３後板３３の左右側壁端部にも突起３１ａ、３２ａ、３３ａがそれぞれ形成されている。
【００１６】
３５は一体的に組合わせられた左右前後の縁枠支柱１５、１７の各上端部と、左右の側壁部材２０の上端部と、後壁部材３０の上端部とをそれぞれ包囲するように外嵌合する嵌合天板である。この嵌合天板３５はキャップ状に形成され、前記各上端部はこの嵌合天板３５の内周壁３５ａに適宜に固定される。
【００１７】
４０は左右の前方縁枠支柱１５、１５に複数個の蝶番４１を介して取付けられた観音開き式扉である。この扉４０には自動販売機に必要なサンプルボックス、操作釦用パネル、コイン返却口、商品取出口、シリンダー式錠などが設けられている。
【００１８】
しかして、図２及び図３を参照にすると、４２は扉４０の上部に形成された左右のサンプルボックスで、これらのサンプルボックス４２の前面にはガラス４３が設けられている。４４は扉４０の中央部に設けられた左右の操作釦用パネルで、これらのパネル４４の後方には操作釦の電気的装置用ボックス４５が形成されている。４６は扉４０の一方の下部寄りの部位に形成されたコイン返却口である。４７は扉４０の下部に設けられた左右の商品取出口である。そして、４８は扉４０の適宜箇所に設けられたシリンダー式錠である。
【００１９】
５０は少なくとも後壁部材３０の内壁面に設けられた長板状の断熱板である。断熱板は後壁部材３０の他に、左右の側壁部材２０、２０の内壁面、嵌合天板３５の内壁面にそれぞれ設けても良い。また自動販売機の装置本体を直接取囲むように設けても良い。
【００２０】
次に図面に示す本発明の実施の形態を上述した自動販売機自体のキャビネットＸを製造する方法の発明として説明する。なお、この方法の発明の説明に於いて、前記物の発明の構成部分の説明には便宜上同一の符号を付し、重複する説明を省略する。
【００２１】
図１２に於いて、Ａは別体に製作された台２と支持枠３とを一体的に結合してベース部材２を形成するベース部材形成工程である。このベース部材形成工程Ａでは台２の上面に四角い縁部８を残すように支持枠３の基底部９を接着固定する。もちろん台２に支持枠３を固定する場合はボルト、クギ等の固着手段を使用しても良い。
【００２２】
Ｂは位置決め用ベース背面板１３を支持枠３の左右の基後壁部１２、１２の外壁面或いは台２の縁部８の後端面に固定的に取付けるベース背面板固定工程である。このベース背面板１３を台２の縁部８の後端面８ａに取付けると台２の左右の隅角部が残る。
【００２３】
Ｃは後壁部材取付け工程である。この後壁部材取付け工程Ｃでは、まず一方の後方縁枠支柱１７、例えば右側の後方縁枠支柱１７を支持枠３の基側壁部１０と基後壁部１２の交差する外壁面に固着手段を介して固定する一方の後方縁枠支柱固定工程ａがある。次にベース背面板１３に複数個の後板３１、３２、３３を垂直状態に積み重ね、かつ、各後板の一方の係合突起３１ａ、３２ａ、３３ａを後方縁枠支柱１７の第３係合溝１９に係合させる後板係合工程ｂがある。そして、他方の後方縁枠支柱１７、例えば左側の後方縁枠支柱１７を支持枠３の基側壁部１０と基後壁部１２の交差する外壁面に固着手段を介して固定する他方の後方縁枠支柱固定工程ｃがある。この他方の後方縁枠支柱固定工程ｃでは、前記複数個の後板３１、３２、３３の他方の係合突起３１ａ、３２ａ、３３ａ及びベース背面板１３の突起１３ａに他方の後方縁枠支柱の第３係合溝１９をそれぞれ係合させ、しかる後に後方縁枠支柱１７を支持枠３に固定する。
【００２４】
Ｄは左右の側壁部材２０を左右の後方縁枠支柱１７にそれぞれ取付ける側壁部材取付け工程である。側壁部材２０は、前述したように支持枠３の基側壁部１０とオーバラップする最下位のベース側板２１と、このベース側板２１に垂直方向に載る下位の第１側板２２と、この第１側板２２の上方に載る中間の第２側板２３と、この第２側板の上方に載る上位の第３側板２４とから成る。しかして、これらの各側板２１乃至２４はそれぞれ一方側の突起２１ａ、２２ａ、２３ａ、２４ａを後方縁枠支柱１７の第２係合溝１８に係合させることによりベース部材１に取付けられる。
【００２５】
Ｅは前方の縁枠支柱１５を左右の側壁部材２０にそれぞれ係合させ、かつ、支持枠３の基側壁部１０の外壁面に固着手段を介して固定する前方縁枠支柱固定工程である。この前方縁枠支柱固定工程Ｅでは、前方縁枠支柱１５の第１係合溝１６を側壁部材２０の他方の突起２１ａ、２２ａ、２３ａ、２４ａに係合させる。これにより左右一対の側壁部材２０は前後の縁枠支柱１５、１７の間に第１係合溝１６及び第２係合溝１８を介して固定される。
【００２６】
Ｆは一体的に組合わせられた左右前後の縁枠支柱１５、１７の各上端部と、左右の側壁部材２０の上端部と、後壁部材３０の上端部とをそれぞれ包囲するようにキャップ状の嵌合天板３５を外嵌合する嵌合天板取付け工程である。この嵌合天板取付け工程Ｆでは、上記各部材の上端部と嵌合天板３５とを固着手段を介して固定しても良い。
【００２７】
Ｇは左右の前方縁枠支柱１５、１５に複数個の蝶番４１を介して観音開き式扉４０を取付ける扉取付け工程である。この扉取付け工程Ｇでは、扉４０を取付けた後にサンプルボックス４２、操作釦用パネル４４等が取付けられる。
【００２８】
このようにＡ乃至Ｇの各工程が終了すると、自動販売機自体の外箱を構成する木製（家具調）キャビネットＸができあがる。しかして、このキャビネットＸの内部の受板１４上には自動販売機の装置本体が、また内部の支持枠３内には駆動源が内装され、さらに、電気的に必要な操作ボタン、配線、販売見本などが開閉扉に設けられ、その結果、家具調自動販売機Ｙが製作される。
【００２９】
【実施例】
まず発明の実施の形態で説明した物の発明に於いては、側壁部材２０は１枚で構成されていても良い。また後壁部材３０は、位置決め用ベース背面板１３と、１枚の後板とから構成されていても良い。また左右の側壁部材２０を構成する上下方向の各側板２１乃至２４、又は後壁部材３０を構成する上下方向の各後板１３、３１乃至３３は、図１３乃至図１５で示すように互いにジョイントしても良い。すなわち、例えば互いに上下方向に対向する側板２２Ａ、２３Ａ、又は後板３１Ａ、３２Ａの上下の端面部に横溝５５、５６を形成し、これらの対向する横溝５５、５６内に丁度係合する断面角型の係合棒５７を嵌め込み、上下方向の側板２２Ａ、２３Ａ、又は後板３１Ａ、３２Ａを互い結合する。このように構成すると、キャビネットＸが全体として強固に結合する。またベース部材１を構成する支持枠３の基後壁部１２は１枚であり、その開口１１に相当する部分は切欠部であっても良い。さらに、左右前後の縁枠支柱１５、１７と左右の側壁部材２０や後壁部材３０の係合関係は、縁枠支柱１５、１７が縦方向の突起であり、一方、左右の側壁部材２０や後壁部材３０が縦方向の係合溝であっても良い。
【００３０】
次に発明の実施の形態で説明した方法の発明に於いては、図１６で示す方法の第２実施例のように後壁部材取付け工程Ｃは、端面Ｌ型の後方縁枠支柱１７、１７をベース背面板１３の左右に固定的に対設する工程Ｃ１と、この左右一対の後方縁枠支柱固定工程Ｃ１の後に、これらの後方縁枠支柱１７、１７の間に側端部を係合させながら分割された複数個の後板を垂直状態に積み重ねる後板係合工程Ｃ２とから成る場合であっても良い。
【００３１】
また図１７で示す方法の第３実施例のように、上記第２実施例の要部である左右一対の後方縁枠支柱固定工程Ｃ１と後板係合工程Ｃ２とから成る後壁部材取付け工程Ｃをそのまま含み、かつ、前方縁枠支柱固定工程Ｅと側壁部材取付け工程Ｄとが逆の順序に成っても良い。なお、この実施例の場合には、まず左右一対の前方の縁枠支柱１５を支持枠３の基側壁部１０の外壁面に固着手段を介して固定し、その後に左右一前方の縁枠支柱１５、１５の間に両側端部を係合させながら分割された複数個の後板を垂直状態に積み重ねる。
【００３２】
【発明の効果】
以上の説明から明らかなように、本発明にあっては次に列挙するような効果がある。
（１）家具調キャビネットを有する自動販売機を屋内に設置することにより、他の家具製品との調和を図ることができる。すなわち、トータル・コーディネーイトが可能になり、視覚上違和感を生じさせない。
（２）ベース部材に位置決め用ベース背面板を固定し、このベース背面板の左右に左右一対の後方縁枠支柱７、１７を固定的に対設しているので、家具調キャビネットを構成する各部材を順序良く効率的に組合わせることができる。
（３）家具調キャビネットを構成する各部材は、いわゆる組合わせ式なので、梱包ないし運搬の容易化を図ることができる。
（４）自動販売機の装置本体、駆動源、電気的部品などを簡単に装着乃至取付けることができる。
（５）実施例によっては家具調キャビネットを構成する各部材を互いに強固に結合することができる。
（６）木製のキャビネットなので、断熱性が向上する。
【図面の簡単な説明】
図１乃至図１２は本発明の実施の形態を説明するための各説明図。
【図１】斜視図（物の発明）。
【図２】正面図。
【図３】縦断面図。
【図４】横拡大断面図。
【図５】分解斜視図。
【図６】要部の分解斜視図（特にベース部材を示す）。
【図７】要部の分解斜視図（特に側壁部材を示す）。
【図８】要部の分解斜視図（特に後壁部材を示す）。
【図９】第１段階に於ける主要部を組立てた状態を示す斜視図。
【図１０】第２段階に於ける主要部を組立てた状態を示す斜視図。
【図１１】途中まで組立てた状態の斜視図。
【図１２】方法の発明の第１実施例を示す工程図。
【図１３】左右の側壁部材又は／及び後壁部材のジョイント例を示す分解斜視図。
【図１４】図１３に於ける側壁部材を示す分解斜視図。
【図１５】図１３に於ける後壁部材を示す分解斜視図。
【図１６】方法の発明の第２実施例を示す工程図。
【図１７】方法の発明の第３実施例を示す工程図。
【符号の説明】
１…ベース部材、１３…ベース背面板、１７…後方縁枠支柱、１５…前方縁枠支柱、１６…第１係合部、１８…第２係合部、２０…側壁部材、３０…後壁部材、３５…嵌合天板、４１…蝶番４１、４０…扉、Ａ…ベース部材形成工程、Ｂ…ベース背面板固定工程、Ｃ…後壁部材取付け工程、Ｄ…側壁部材取付け工程、Ｅ…前方縁枠支柱固定工程、Ｆ…嵌合天板取付け工程、Ｇ…扉取付け工程、Ｘ…家具調キャビネット。
【図１】
0003827362.tif 000002
【図２】
0003827362.tif 000003
【図３】
0003827362.tif 000004
【図４】
0003827362.tif 000005
【図５】
0003827362.tif 000006
【図６】
0003827362.tif 000007
【図７】
0003827362.tif 000008
【図８】
0003827362.tif 000009
【図９】
0003827362.tif 000010
【図１０】
0003827362.tif 000011
【図１１】
0003827362.tif 000012
【図１２】
0003827362.tif 000013
【図１３】
0003827362.tif 000014
【図１４】
0003827362.tif 000015
【図１５】
0003827362.tif 000016
【図１６】
0003827362.tif 000017
【図１７】
0003827362.tif 000018